(57)【特許請求の範囲】
【請求項１】
複数の刺繍用の模様の模様データを記憶した模様データ記憶手段を備えた刺繍縫製可能なミシンにおいて、
前記模様データ記憶手段に、ミシンを個別的に特定する為の識別模様を縫製する為の識別模様データを格納したことを特徴とする刺繍縫製可能なミシン。
【請求項２】
前記識別模様は、ミシン固有の番号の模様であることを特徴とする請求項１に記載の刺繍縫製可能なミシン。
【請求項３】
前記識別模様は、刺繍模様の外形内の刺繍領域の内側に縫製される模様であることを特徴とする請求項１又は２に記載の刺繍縫製可能なミシン。
【請求項４】
前記識別模様は、刺繍模様の刺繍縫目の下側に縫製される模様であることを特徴とする請求項１〜３の何れか１項に記載の刺繍縫製可能なミシン。
【請求項５】
前記識別模様は、刺繍される布地の裏面側のうちの刺繍模様の外形内の刺繍領域に対応する領域内に縫製される模様であることを特徴とする請求項１〜３の何れか１項に記載の刺繍縫製可能なミシン。
【請求項６】
前記識別模様は、予め設定された複数の刺繍模様の各々を縫製する際に縫製されることを特徴とする請求項４又は５に記載の刺繍縫製可能なミシン。
【請求項７】
前記予め設定された複数の刺繍模様は、著作権の対象である刺繍模様または文字列模様を含むことを特徴とする請求項６に記載の刺繍縫製可能なミシン。
【発明の詳細な説明】
【０００１】
【発明の属する技術分野】
本発明は、刺繍縫製可能なミシンに関し、特に刺繍模様の刺繍縫製に際して、ミシンや刺繍用外部記録媒体を個別的に特定できる識別模様を縫製するようにしたものに関する。
【０００２】
【従来の技術】
従来、家庭用の電子制御式刺繍ミシンは、上下駆動される縫針とこの縫針と協働する糸輪捕捉器とを含む縫製機構と、加工布が着脱自在に取付けられる刺繍枠を直交する２方向へ独立に移動駆動する駆動機構と、「乗り物」、「花」、「動物」などの複数種類の刺繍模様の模様データを格納した模様データメモリと、ディスプレイ及び操作パネル等を有し、オペレータが操作パネル等を操作し、所望の刺繍模様をディスプレイに表示させて選択してから刺繍縫製処理を実行すると、刺繍模様の模様データに基づいて駆動機構が制御され、駆動機構と縫製機構との協働により、刺繍枠に装着された加工布に前記所望の刺繍模様の縫製が施される。
【０００３】
最近、この種の電子制御式刺繍ミシンでは、ミシンの制御装置に設けられた模様データメモリに格納された刺繍模様以外の多種多様の刺繍模様も刺繍縫製できるように、「動物」、「乗り物」、「花」などの複数種類の刺繍模様に関する模様データを記憶したＲＯＭカードを複数枚準備し、所望のＲＯＭカードを刺繍ミシンに装着することで、そのＲＯＭカードに格納されている刺繍可能な複数の刺繍模様がマトリックス状に一覧表として表示されるので、ディスプレイに設けられたタッチ式キーを操作するなどして所望の１つまたは複数の刺繍模様を選択することで、刺繍縫製できるようになっている。
【０００４】
ところで、この種の電子制御式刺繍ミシンにおいて、制御装置に設けられた模様データメモリやＲＯＭカードに、ミシンメーカーが考案した独自のキャラクタや、テレビや映画等に登場する著名なキャラクタ（例えば、「ミッキーマウス」、「ドラエモン」などの著名な動物やロボット等）等の刺繍模様の模様データを記録するようにし、一般的には市販されていない特有のキャラクタを刺繍縫製したズボンやブラウスなどを、家庭で簡単に製作できるようになっている。
【０００５】
特に、著名なキャラクタについては、ミシンメーカーがキャラクタの著作権者の許諾を得て使用している場合が多く、刺繍ミシンやＲＯＭカードを購入したユーザーだけが個人的に使用できることを明記する等、その種のキャラクタを許諾の範囲内で使用するように種々配慮している。しかし、従来、正当なミシン所有者以外の物に対するキャラクタの使用を制限する技術は何ら提案されていないのが実情である。
【０００６】
尚、参考までに、特開昭６３─２３８８９９号公報には、上糸と下糸の糸調子を調節する糸調子装置を夫々設け、これら上下の糸調子装置を通常用に設定することで、上糸の糸色で刺繍模様を形成する一方、上下の糸調子装置の糸調子を変更することで、下糸の糸色で刺繍模様を部分的に形成するようにした二色縫いミシンが提案されている。
【０００７】
【発明が解決しようとする課題】
前述したように、従来の電子制御式刺繍ミシンにより、模様データメモリやＲＯＭカードに格納（記録）された複数種類の刺繍模様のうちから選択した、「象」とか「バス」などの一般的な刺繍模様に加えて、独自のキャラクタや著名なキャラクタなどの刺繍模様を子供が着るズボンやスカート或いはハンカチなどに刺繍縫製したときに、刺繍模様に不具合いが発生した場合、ユーザーがその不具合いの刺繍模様を刺繍ミシンのメーカーに持参する場合が多いが、その刺繍模様からだけでは、何れのメーカーの刺繍ミシンで縫製したのかを特定できないだけでなく、そのメーカーの刺繍ミシンで縫製したものであっても、ミシンの機種や製作時期を特定することができないという問題がある。
【０００８】
更に、ミシン所有者はもとより、他人からＲＯＭカードを借用してきた者、海賊版のＲＯＭカードを購入した者でも、独自のキャラクタや著名なキャラクタをハンカチなどに不正に刺繍して営利目的で販売することも可能であり、正当なミシン所有者が縫製したのか、或いは不正に得た者が縫製したのかを判断することが難しいという問題がある。本発明の目的は、前記の課題を解決する為に、不具合いが生じた刺繍模様を縫製した刺繍ミシンや不具合いが生じた刺繍模様を有する刺繍用外部記録媒体を容易に特定できること、正当なミシン所有者以外の者によるキャラクタの不正使用を容易に判断できるようにすること、等である。
【０００９】
【課題を解決するための手段】
請求項１の刺繍縫製可能なミシンは、複数の刺繍用の模様の模様データを記憶した模様データ記憶手段を備えた刺繍縫製可能なミシンにおいて、模様データ記憶手段に、ミシンを個別的に特定する為の識別模様を縫製する為の識別模様データを格納したことを特徴とするものである。ここで、模様データ記憶手段は、ミシンの制御装置に固定的に設けられたものであってもよく、また着脱可能に設けられたものであってもよい。
【００１０】
模様データ記憶手段（例えば、不揮発性のメモリであって、ＲＯＭや磁気ディスクや光ディスク）には、複数の刺繍用の模様の模様データに加えて、ミシンを個別的に特定する為の識別模様を縫製する為の識別模様データを記憶しているので、複数の刺繍用の模様のうちから選択された刺繍模様を縫製するとともに、ミシンを個別的に特定する為の識別模様、例えば機種毎の製造番号や製造したときのロット番号などを縫い込むことができるので、刺繍模様に不具合いが生じたときには、刺繍模様を解くなどして、その刺繍模様と同時に縫い込まれている識別模様からミシンを容易に特定することができる。
【００１１】
請求項２の刺繍縫製可能なミシンは、請求項１の発明において、前記識別模様は、ミシン固有の番号の模様であることを特徴とするものである。
この場合には、刺繍模様と共に刺繍縫製される識別模様としては、ミシン固有の番号の模様、例えば、機種毎の製造番号や製造したときのロット番号などの模様であることから、刺繍模様の刺繍縫製に供したミシンを容易に特定することができる。その他、請求項１と同様の作用を奏する。
【００１２】
請求項３の刺繍縫製可能なミシンは、請求項１又は２の発明において、前記識別模様は、刺繍模様の外形内の刺繍領域の内側に縫製される模様であることを特徴とするものである。
この場合、識別模様は、刺繍模様の外形内の刺繍領域の内側に、つまり刺繍模様からはみ出すことなく刺繍模様と共に刺繍縫製される。これにより、識別模様を刺繍模様から切り離すことができず、識別模様と刺繍模様とを常に一体化させておくことができる。その他、請求項１又は２と同様の作用を奏する。
【００１３】
請求項４の刺繍縫製可能なミシンは、請求項１〜３の何れか１項の発明において、前記識別模様は、刺繍模様の刺繍縫目の下側に縫製される模様であることを特徴とするものである。
この場合には、識別模様を縫製してから連続させて刺繍模様を刺繍縫製するなどして、刺繍模様の刺繍縫目の下側に縫製されているので、刺繍模様の外観を損なうことなく識別模様を確実に保持でき、しかも刺繍縫目を解くことで識別模様を読取ることができる。その他、請求項１または請求項２と同様の作用を奏する。
【００１４】
請求項５の刺繍縫製可能なミシンは、請求項１〜３の何れか１項の発明において、前記識別模様は、刺繍される布地の裏面側のうちの刺繍模様の外形内の刺繍領域に対応する領域内に縫製される模様であることを特徴とするものである。
この場合には、識別模様は、刺繍模様を縫製する縫製時の何れかの時期に、刺繍される布地の裏面側で且つ刺繍模様の外形内の刺繍領域に対応する領域内に縫製されているので、刺繍模様の外観を損なうことなく布地の裏側に識別模様を確実に保持でき、しかも刺繍縫目を解くことなく、布地の裏から識別模様を容易に読取ることができる。その他、請求項１〜３の何れか１項と同様の作用を奏する。
【００１５】
請求項６の刺繍縫製可能なミシンは、請求項４又は５の発明において、前記識別模様は、予め設定された複数の刺繍模様の各々を縫製する際に縫製されることを特徴とするものである。
この場合には、選択された刺繍模様が予め設定された複数の刺繍模様の何れかに該当する場合に限って識別模様が縫製されるので、メーカーが考案した独自のキャラクタや著作権の対象となるキャラクタなどを予め設定しておくことで、これらのキャラクタに加えて識別模様を同時に縫製することができる。その他、請求項４又は５と同様の作用を奏する。
【００１６】
請求項７の刺繍縫製可能なミシンは、請求項６の発明において、前記予め設定された複数の刺繍模様は、著作権の対象である刺繍模様または文字列模様を含むことを特徴とするものである。
この場合には、選択された刺繍模様が、例えばテレビや映画等に登場する著名なキャラクタであって、著作権の対象となる刺繍模様のときに、その刺繍模様と同時に識別模様を縫製することができ、また選択された文字列が、例えば著名なキャラクタの名称などであって、著作権の対象となる文字列模様のときに、その刺繍模様と同時に識別模様を縫製することができる。その他、請求項６と同様の作用を奏する。
【００１７】
【００１８】
【００１９】
【００２０】
【００２１】
【００２２】
【００２３】
【００２４】
【００２５】
【発明の実施の形態】
以下、本発明の実施形態について図面を参照しながら説明する。本実施形態は、刺繍装置を着脱可能に装着して種々の刺繍模様の縫製が可能な刺繍装置付き電子制御式刺繍ミシンに本発明を適用した場合の例である。
電子制御式刺繍ミシンＭ（刺繍縫製可能なミシンに相当する）は、図１に示すように、ミシンベッド部１と、ベッド部１の右端部から立設された脚柱部２と、脚柱部２の上端からベッド部１に対向するように左方へ延びるアーム部３を有する。
【００２６】
ベッド部１には、送り歯を上下動させる送り歯上下動機構（図示略）及び前後動させる送り歯前後動機構（図示略）、下糸ボビンを収容し縫針６と協働する糸輪捕捉器（例えば、水平釜）等が設けられている。脚柱部２には、オプション的に追加される多数の刺繍模様の模様データ（縫製データと模様表示データ）を記録したＲＯＭカード２７（これが刺繍用外部記録媒体に相当する）を、内部のカード用コネクタ１３（図３参照）に接続する為のカード用スロット２ａが形成されている。
【００２７】
アーム部３には、下端に縫針６を装着した針棒５を上下動させる針棒駆動機構、針棒５を布送り方向と直交する方向に揺動させる針棒揺動機構（図示略）、天秤を針棒５の上下動に調時して上下動させる天秤駆動機構（図示略）等が設けられている。尚、送り歯上下動機構と針棒駆動機構と天秤駆動機構とはミシンモータ１７で駆動され、針棒揺動機構は針棒揺動用ステッピングモータ１８で駆動され、送り歯前後動機構は送り歯前後駆動用ステッピングモータ１９で駆動される（図３参照）。アーム部３の頭部４には、縫製作業の起動と停止を指令する起動・停止スイッチ１２が設けられている。
【００２８】
アーム部３の前面には大型の液晶ディスプレイ１０が設けられ、この液晶ディスプレイ１０には、実用模様や刺繍模様等の種々の縫目模様や各種の機能名、更には種々のメッセージ等が表示される。この液晶ディスプレイ１０の前面には、複数の刺繍模様や機能を示す機能名の表示位置の各々に対応させて、透明電極からなるタッチキー１１がマトリックス状に設けられている。即ち、所望の刺繍模様の選択や機能の指示を、これら刺繍模様や機能名に対応するタッチキー１１を押圧操作することで実現することができる。
【００２９】
前記ベッド部１の左端側部分には、通称フリーアームと称されるフリーベッド部が形成され、このフリーベッド部に刺繍装置３０が着脱可能に装着される。
刺繍装置３０は、その本体ケース３０ａと、加工布Ｗを着脱自在に装着する刺繍枠３４と、刺繍枠３４をＹ方向（前後方向）へ駆動するＹ方向駆動機構を内蔵した収容ケース３１と、収容ケース３１とその内部のＹ方向駆動機構をＸ方向（左右方向）へ駆動するＸ方向駆動機構であって本体ケース３０ａ内に収容されたＸ方向駆動機構とを備えており、Ｘ方向駆動機構は第１ステッピングモータ３２で駆動され、Ｙ方向駆動機構は第２ステッピングモータ３３で駆動される（図３参照）。
【００３０】
刺繍装置３０がフリーベッド部に装着されると、第１，第２ステッピングモータ３２，３３が、コネクタ１４を介してミシンＭの制御装置Ｃに電気的に接続され、制御装置Ｃにより第１，第２ステッピングモータ３２，３３が駆動制御され、刺繍枠４３と加工布ＷとをＸ方向とＹ方向とに独立に移動駆動しつつ刺繍縫製できる状態になる。
ところで、糸駒（図示略）から延びる上糸８を縫針６に供給する上糸供給路には、図２に示すように、上糸８の繰り出し量を調節する上糸繰り出し機構４０が設けられている。
【００３１】
この上糸繰り出し機構４０について簡単に説明すると、ミシンフレームに固定された上糸繰り出しモータ４１の駆動軸に駆動ローラ４２が固着され、この駆動ローラ４２と平行で且つ押圧状に従動ローラ４３が配設され、回転可能に枢支されている。そして、針棒５の上下動に調時した所定の糸繰り出しタイミングで上糸繰り出しモータ４１が回転駆動されることで、上糸８が所定量ずつ繰り出されるようになっている。その糸繰り出しタイミングにおける上糸繰り出しモータ４１の回転量に応じて、上糸８と下糸との交絡点を加工布Ｗ（図１３参照）の内部に設ける正規の糸調子に設定できる一方、交絡点を加工布Ｗの裏面側に設ける下糸調子にも設定できる。
次に、ミシンＭの制御系について説明する。
【００３２】
図３に示すように、制御装置Ｃは、入力インターフェース２１と、ＣＰＵ２３とＲＯＭ２４とＲＡＭ２５とを含むコンピュータと、出力インターフェース２６と、これらを接続するバス２２とを有する。入力インターフェース２１には、起動・停止スイッチ１２、タッチキー１１、ミシン主軸の複数の回転位相を検出するタイミング信号発生器１６が夫々接続され、出力インターフェース２６には、ミシンモータ１７、針棒揺動用ステッピングモータ１８、送り歯前後駆動用ステッピングモータ１９、上糸繰り出しモータ４１、液晶ディスプレイであるＬＣＤ１０の為のディスプレイコントローラ（ＬＣＤＣ）２０と、刺繍装置３０の第１，第２ステッピングモータ３２，３３が夫々接続されたコネクタ１４等が続されている。前記ＲＯＭカード２７のＲＯＭ２８は、コネクタ１３を介してバス２２に接続されている。
【００３３】
ＲＯＭ２４（これが模様データ記憶手段に相当する）には、実用模様を縫製する縫製制御や表示制御の一般的な制御プログラムに加えて、選択した刺繍模様に対してディスプレイ１０を介してサイズ設定や位置設定等の編集処理を施す編集処理と、選択された刺繍模様を刺繍縫製する刺繍縫製処理とを含む模様選択編集縫製制御の制御プログラム、糸調子を下糸調子に変更する為に上糸繰り出し量を補正する補正量データと、本願特有の後述の模様選択表示制御や縫製制御の制御プログラム等が予め格納されている。
【００３４】
更に、ＲＯＭ２４には、数字やアルファベットの文字模様の各々に関する表示データとその縫製データ、複数の実用模様の各々に関する表示データとその縫製データが格納されるとともに、図４に示すように、比較的使用頻度の高い多数の刺繍模様（第１刺繍模様、第２刺繍模様、第３刺繍模様・・・・・）の模様データが格納され、多数の刺繍模様の模様データは、刺繍模様の種類別にグループ分けし模様番号を付して格納されている。ところで、ＲＯＭカード２７としては、複数枚分準備されており、これらＲＯＭカード２７のＲＯＭ２８には、比較的使用頻度の低い多数の刺繍模様（第１刺繍模様、第２刺繍模様、第３刺繍模様・・・・・）の模様データ、種々の種類の文字、図形や形象、マーク、キャラクタ（例えば、テレビや映画等に登場する著名な人物、動物、ロボット等）等の刺繍模様の模様データが、刺繍模様の種類別にグループ分けし模様番号を付して、ＲＯＭ２４と同様に記録されている。
【００３５】
即ち、各刺繍模様の模様データは同様の構成なので、第１刺繍模様の模様データについて説明すると、図４に示すように、模様データには、刺繍模様と刺繍模様に含まれる複数の色別模様部を表示する為の模様表示データと、刺繍縫製の為の縫製データと、付随情報を表示する為の付随情報表示データとが区別して格納されている。
第１刺繍模様の模様表示データは、例えば図８に示すように、刺繍模様（例えば、「象」）の３つの第１〜第３色別模様部と、各色別模様部の外周部を囲む矩形枠とを表示する為に、矩形枠のビットデータ（ドットデータ）と、第１〜第３色別模様部のビットデータとが格納されている。
【００３６】
また、縫製データとして、例えば３色用のときには、第１〜第３色別模様部の３色分の縫製データが格納されている。また、付随情報の表示データとしては、種々の表示画面の際に表示する文字や機能名の為の表示データが格納されている。
これらＲＯＭ２４，２８には更に、縫目形成時に上糸繰り出しモータ４１による上糸繰り出し量を補正して下糸調子にする為の補正データに加えて、識別模様の縫製データとして、ＲＯＭ２４には刺繍ミシンＭの製造番号（例えば、「１２３」）、ＲＯＭ２８にはＲＯＭカード２７の製造番号（例えば、「Ｒ４１２」）のミラーイメージの縫製データ、複数の刺繍模様のうちで著作権対象である刺繍模様の番号（第１刺繍模様、第５刺繍模様、第８刺繍模様・・）、著作権対象である文字列模様（例えば、「ＡＥＧＬＮ」、「ＤＥＦＨＯＱ」・・）のデータが夫々格納されている。
【００３７】
前記ＲＡＭ２５には、前記種々の制御に必要なメモリ類（フラグやポインタやカウンタ等のメモリ、レジスタやバッファ等）が設けられている。
次に、制御装置Ｃで実行される模様選択表示制御のルーチンについて、図５のフローチャートを参照して説明する。尚、図中符号Ｓｉ（ｉ＝１０，１１，１２・・・）は各ステップを示すものである。
電源の投入によりこの制御が開始されると、先ずディスプレイ１０には、模様の種類（分類）を選択する為の初期画面が表示される（Ｓ10）。例えば、巣７に示すように、文字模様を書体に応じて選択する選択キー１１ａ〜１１ｄ、実用模様を選択する選択キー１１ｅ、具象模様を選択する選択キー１１ｆ〜１１ｈ、更には装着されているＲＯＭカード２７に記録されている刺繍模様を選択する選択キー１１ｉを含む選択画面が表示される。
【００３８】
そして、所望の刺繍模様群の種類を、その種類に対応するタッチキー１１を押圧操作することで選択するメニュー選択処理が実行され（Ｓ11）、その選択された模様群に含まれる多数の刺繍模様がマトリックス状に一覧表として表示される（Ｓ12）。例えば、タッチキー１１ｉを操作してＲＯＭカード２７に格納されている「動物・乗り物」に関する模様群を選択したときには、図８に示すように、多数の動物や乗り物に関する模様群がマトリックス状に表示される。ここで、「次ページ」や「前ページ」を操作することで、複数ページに亙って刺繍模様を表示させることができる。
【００３９】
ここで、選択キー１１ａ〜１１ｄを操作して文字模様を選択したときには、図９に示すように、文字模様の選択画面が表示される。
次に、タッチキー１１を操作して、模様群のうちから１つを選択する選択処理が実行されたときには、その選択された刺繍模様番号（但し、文字模様については、その文字模様番号）がＲＡＭ２５の選択模様番号メモリに格納され（Ｓ13）、その刺繍模様に関する色別模様部が表示される（Ｓ14）。但し、タッチキー１１を操作して「戻る」を指示したときには、Ｓ10に戻り、初期画面が再度表示される。
例えば、動物「象」を選択したときには、図１０に示すように、ディスプレイ１０には、刺繍模様「象」と、その「象」に含まれる３つの色別模様部とが表示される。
【００４０】
次に、縫製する刺繍模様が決定したのに伴って「確定」キーが操作されたとき、ディスプレイ１０には編集画面が表示されるので、縫製位置やサイズなどを変更する編集処理が実行される（Ｓ15）。例えば、図１１に示すように、ディスプレイ１０には、前記刺繍枠３４に対応する刺繍可能領域が矩形枠Ｅで表示され、その矩形枠Ｅの内部に、選択した刺繍模様「象」が表示される一方、縫製位置を８方向に移動させる為の８つの移動機能記号（矢印）、刺繍模様の向きを９０°回転させる回転機能、縫製サイズの大きさを変更する大きさ変更機能などの複数の機能名が表示される。
【００４１】
ここで、この編集処理自体は一般的な処理であり、公知の種々の編集処理を適用してもよい。
次に、刺繍枠３４に刺繍縫製に供する加工布Ｗがセットされた後、刺繍縫製を実行する為に起動・停止スイッチ１２が操作されたときには（Ｓ16：Yes ）、縫製制御を起動させて縫製を開始するように指令され、刺繍縫製時の画面表示が実行される（Ｓ17）。例えば、図１２に示すように、ディスプレイ１０に、前述した刺繍模様「象」や色別模様部、種々の付随情報が表示されるとともに、刺繍縫製に要する残りの所要時間（残り時間）、その他縫製時に必要な機能名が表示される。
【００４２】
そして、刺繍縫製が終了したときには（Ｓ18：Yes ）、Ｓ10に戻って、最初の初期画面表示が実行される。
次に、縫製制御を起動するように指令されたことにより、図６に示す縫製制御が実行される。
この制御が開始されると、先ずＲＡＭ２５の選択模様番号メモリから縫製に供する縫製模様番号が読み込まれる（Ｓ20）。次に、その模様番号の模様が刺繍模様のときには（Ｓ21：Yes ）、その模様番号について著作権対象の刺繍模様番号か否かが検索され、著作権対象の刺繍模様のときには（Ｓ22：Yes ）、識別模様縫製データが読み込まれ、刺繍模様番号の刺繍模様の縫製データに基づいて、刺繍模様の外形内の刺繍領域に対応する領域内に位置するように、その識別模様縫製データがＲＡＭ２５の刺繍データメモリに展開して格納される（Ｓ23）。
【００４３】
次に、編集された刺繍模様に含まれる複数の色別模様部の縫製データが刺繍データメモリに展開して格納され（Ｓ24）、刺繍縫製処理が実行される（Ｓ25）。即ち、この刺繍縫製処理においては、刺繍装置３０の第１，第２ステッピングモータ３２，３３を駆動制御するとともに、モータ１７，１９，４１を駆動制御して、先ず刺繍データメモリの識別模様縫製データが下糸調子で縫製され、正規の糸調子に復帰させて連続的に第１色別模様部が刺繍縫製された後、刺繍糸を交換する毎に残りの色別模様部について同様に刺繍縫製される。
【００４４】
例えば、図１３（ａ）に示すように、ＲＯＭカード２７から選択された刺繍模様「象」５０を刺繍縫製する場合には、加工布Ｗの裏面側Ｗｂのうちの刺繍模様「象」５０の外形５０ａの内側刺繍領域に対応する領域内に、先ず刺繍ミシンＭの製造番号である識別模様「１２３」が下糸調子で縫製されるととも、ＲＯＭカード２７の製造番号である識別模様「Ｒ４１３」が下糸調子で縫製される。そして、図１３（ｂ）に示すように、正規の糸調子で第１色別模様部が連続的に縫製された後、刺繍糸を交換する毎に残りの色別模様部について同様に刺繍縫製され、刺繍模様「象」５０が加工布Ｗの表面側Ｗａにカラフルに形成される。
【００４５】
ところで、選択模様番号メモリから読み込まれた縫製模様番号が複数であって文字列模様のときには（Ｓ21：No）、複数の文字列模様番号組み合わせについて著作権対象の文字列模様か否かが検索され、著作権対象の文字列模様のときには（Ｓ26：Yes ）、Ｓ23以降が同様に実行され、文字列模様の刺繍縫製に先立って、文字列模様の刺繍領域の内側に対応する刺繍領域内に、刺繍ミシンＭの製造番号である識別模様とＲＯＭカード２７の製造番号である識別模様とが夫々下糸調子で縫製される。
【００４６】
次に、前記電子制御式刺繍ミシン１の作用・効果について、刺繍模様縫製方法を含めて説明する。
制御装置ＣのＲＯＭ２４やＲＯＭカード２７のＲＯＭ２８に、複数の刺繍模様の各々に関する模様表示データや縫製データを格納するとともに、上糸繰り出し量補正データ、刺繍ミシンＭやＲＯＭカード２７の製造番号からなる識別模様縫製データ、著作権対象の刺繍模様番号、著作権対象の文字列模様などを格納し、複数の刺繍用の模様のうちから選択された著作権の対象である刺繍模様または文字列模様を縫製するのに際して、刺繍ミシンＭやＲＯＭカード２７の製造番号からなる識別模様が下糸調子により、加工布Ｗの裏面側Ｗｂに必ず自動的に縫製されるので、刺繍模様に不具合いが生じたときに、刺繍模様を解くことなく加工布Ｗの裏面Ｗｂに現れている識別模様から刺繍ミシンＭやＲＯＭカード２７を容易に特定することができる。
【００４７】
また、その識別模様は、刺繍模様の刺繍領域からはみ出すことなく刺繍模様と共に刺繍縫製されることから、識別模様を刺繍模様から切り離すことができず、識別模様と刺繍模様とを常に一体化させておくことができ、その識別模様から、刺繍ミシンＭの所有者以外の者の不正使用を容易に判断することができる。更に、その識別模様は、刺繍される加工布Ｗの裏面側Ｗｂのうちの刺繍模様の外形内の刺繍領域に対応する領域内に縫製されるので、刺繍模様の外観を損なうことなく加工布Ｗの裏面側Ｗｂに識別模様を確実に保持でき、しかも刺繍縫目を解くことなく、加工布Ｗの裏から識別模様を容易に読取ることができ、刺繍ミシンＭやＲＯＭカード２７を確実に特定することができる。
【００４８】
ところで、ＲＯＭ２４に、刺繍ミシンＭやＲＯＭカード２７の製造番号をミラーイメージでない通常イメージの縫製データを記憶するようにし、図１４（ａ）に示すように、前記縫製制御における刺繍縫製処理において、それらの識別模様「１２３」、「Ｒ４１２」を正規の糸調子で加工布Ｗの表面側Ｗａのうちの外形５０ａ内の刺繍領域に縫製した後、連続させて複数の色別模様部を順次縫製するようにしてもよい。この場合には、識別模様は、刺繍模様の刺繍縫目の下側に縫製されるので、刺繍模様の外観を損なうことなく識別模様を確実に保持でき、しかも刺繍縫目を解くことで識別模様を容易に読取ることができる。
【００４９】
ここで、上述した実施の形態においては、フラッシュメモリ等より構成されるＲＯＭカード２７を用いたが、本件出願人による特願平８−１３３２６３号に記載されたようにＣＤ−ＲＯＭに、刺繍模様のデータを記憶しても良い。その場合、ミシンのカード用スロット２ａに装着可能なカード型アダプタを介して、データ読取器より刺繍模様のデータがミシンに供給される。このカード型アダプタはＲＯＭカード２７と同一形状であり、データ読取器は、光学式記憶媒体であるＣＤ−ＲＯＭから読み取ったデータを、半導体記憶媒体であるフラッシュメモリのデータ形式に変換し、ミシンにその変換したデータを供給できる。従って、ミシンはＲＯＭカード２７が装着された場合と同じになる。また、データ読取器のそういった変換機能をミシン本体に持たせれば、データ読取器は汎用のＣＤ−ＲＯＭの装置で良い。特に詳細な情報を詳細な画像（例えば、写真のような画像）やカラーで表示する場合、大量の記憶容量を要するので、ＣＤ−ＲＯＭを用いた方が良い。
【００５０】
尚、前記実施形態では、識別模様縫製データが刺繍模様の縫製に先行して縫製されたが、複数の色別模様部の何れかを縫製するときに同時に縫製するようにしてもよい。また、各刺繍模様の模様データが縫製データと模様表示データとを含む場合を例として説明したが、模様データが縫製データだけで構成されている場合は、その縫製データを処理して模様表示データを作成することもできる。また、ディスプレイ１０はＣＲＴディスプレイであってもよい。また前記ＲＯＭカード２７の代わりに、磁気ディスクに複数の模様の模様データを格納し、その磁気ディスクを制御装置ＣのＦＤＤに着脱自在に装着するように構成することもあるし、その他コンパクトディスクやＣＤ−ＲＯＭ、更には磁気光ディスクを適用することも可能である。前記実施形態に係る模様選択表示制御や縫製制御は、一例を示すものにすぎず、本発明の技術思想を逸脱しない範囲で種々の変更を加えて実施し得る。
【００５１】
【発明の効果】
請求項１の発明によれば、模様データ記憶手段に、ミシンを個別的に特定する為の識別模様を縫製する為の識別模様データを格納したので、複数の刺繍用の模様のうちから選択された刺繍模様を縫製するとともに、ミシンを個別的に特定する為の識別模様、例えば機種毎の製造番号や製造したときのロット番号などを縫い込むことができるので、刺繍模様に不具合いが生じたときには、刺繍模様を解くなどして、その刺繍模様と同時に縫い込まれている識別模様からミシンを容易に特定することができる。
【００５２】
請求項２の発明によれば、請求項１と同様の効果を奏するが、前記識別模様は、ミシン固有の番号の模様であるので、ミシン固有の番号の模様として、例えば機種毎の製造番号や製造したときのロット番号などの模様を用いることで、刺繍模様の刺繍縫製に供したミシンを容易に特定することができる。
請求項３の発明によれば、請求項１又は２と同様の効果を奏するが、前記識別模様は、刺繍模様の外形内の刺繍領域の内側に縫製される模様であるので、刺繍模様からはみ出すことなく刺繍模様と共に刺繍縫製されることから、識別模様を刺繍模様から切り離すことができず、識別模様と刺繍模様とを常に一体化させておくことができ、ミシンを確実に特定することができる。
【００５３】
請求項４の発明によれば、請求項１〜３の何れか１項と同様の効果を奏するが、前記識別模様は、刺繍模様の刺繍縫目の下側に縫製されるので、刺繍模様の外観を損なうことなく識別模様を確実に保持でき、しかも刺繍縫目を解くことで識別模様を容易に読取ることができる。
請求項５の発明によれば、請求項１〜３の何れか１項と同様の効果を奏するが、前記識別模様は、刺繍される布地の裏面側のうちの刺繍模様の外形内の刺繍領域に対応する領域内に縫製される模様であるので、刺繍模様の外観を損なうことなく布地の裏面側に識別模様を確実に保持でき、しかも刺繍縫目を解くことなく、布地の裏から識別模様を容易に読取ることができる。
【００５４】
請求項６の発明によれば、請求項４又は５と同様の効果を奏するが、前記識別模様は、予め設定された複数の刺繍模様の各々を縫製する際に縫製されるので、メーカーが考案した独自のキャラクタや著作権の対象となるキャラクタなどを予め設定することで、これらのキャラクタと識別模様とを同時に縫製することができ、その識別模様からミシンの所有者以外の者の不正使用を容易に判断することができる。
【００５５】
請求項７の発明によれば、請求項６と同様の効果を奏するが、前記予め設定された複数の刺繍模様は、著作権の対象である刺繍模様または文字列模様を含むので、これら著作権の対象である刺繍模様または文字列模様を縫製するときには必ず識別模様を縫製されることになり、その識別模様からミシンの所有者以外の者の不正使用を容易に判断することができる。
【００５６】
【００５７】
【００５８】
【００５９】
【００６０】
【００６１】
【図面の簡単な説明】
【図１】本発明の実施形態に係る電子制御式刺繍ミシンの斜視図である。
【図２】上糸繰り出し機構の概略斜視図である。
【図３】前記刺繍ミシンの制御系のブロック図である。
【図４】ＲＯＭやＲＯＭカードに記憶されている各種のデータ構造の説明図表である。
【図５】模様選択表示制御のルーチンのフローチャートである。
【図６】縫製制御のルーチンのフローチャートである。
【図７】模様種類選択時の表示画面の説明図である。
【図８】刺繍模様群の表示画面の説明図である。
【図９】文字列模様群の表示画面の説明図である。
【図１０】刺繍模様とそれに含まれる色別模様部の表示画面の説明図である。
【図１１】編集処理するときの表示画面の説明図である。
【図１２】刺繍縫製時の表示画面の説明図である。
【図１３】（ａ）は加工布の裏面側に現れた識別模様の説明図であり、（ｂ）は加工布の表面側に形成した「象」の刺繍模様である。
【図１４】（ａ）は加工布の表面側に現れた識別模様の説明図であり、（ｂ）は加工布の表面側に形成した「象」の刺繍模様である。
【符号の説明】
Ｍ    電子制御式刺繍ミシン
Ｃ    制御装置
２４    ＲＯＭ
２７    ＲＯＭカード
３０    刺繍装置
【図１】
0003879878.tif 000002
【図２】
0003879878.tif 000003
【図３】
0003879878.tif 000004
【図４】
0003879878.tif 000005
【図５】
0003879878.tif 000006
【図６】
0003879878.tif 000007
【図７】
0003879878.tif 000008
【図８】
0003879878.tif 000009
【図９】
0003879878.tif 000010
【図１０】
0003879878.tif 000011
【図１１】
0003879878.tif 000012
【図１２】
0003879878.tif 000013
【図１３】
0003879878.tif 000014
【図１４】
0003879878.tif 000015